(57)【特許請求の範囲】
【請求項１】
構造物の損傷を検出する方法であって、
前記構造物の構造フレームを形成する複数の構造部材の接合部に振動センサを設置し、
前記接合部と該接合部を構成する複数の構造部材を部分構造として分割し、
前記接合部に接合した各構造部材の一端部の反対側の他端部が接合する他の接合部に設置した振動センサの検出情報を入力、前記接合部の振動センサを出力として、各部分構造の動特性の入出力関係をシステム同定し、
時刻的に前後の前記部分構造のシステムを比較し、
前記部分構造を構成する前記構造部材の損傷の有無及び損傷の程度を検出するようにしたことを特徴とする構造物の損傷検出方法。
【請求項２】
請求項１記載の構造物の損傷検出方法において、
複数の前記部分構造のシステム同士を比較することを特徴とする構造物の損傷検出方法。
【請求項３】
請求項１または請求項２に記載の構造物の損傷検出方法において、
前記振動センサによって、前記接合部の水平の互いに直交するＸ方向とＹ方向の２成分と、上下のＺ方向の１成分と、前記Ｘ方向と前記Ｙ方向と前記Ｚ方向の各軸を中心とする回転３成分の計６成分の振動を検出することを特徴とする構造物の損傷検出方法。
【請求項４】
請求項１から請求項３のいずれか一項に記載の構造物の損傷検出方法において、
前記構造物の構造フレームの全ての前記接合部に前記振動センサを設置することを特徴とする構造物の損傷検出方法。
【請求項５】
構造物の構造フレームを形成する複数の構造部材の接合部に設置されるとともに、複数の接合部にそれぞれ設置される複数の振動センサと、
前記接合部と該接合部を構成する複数の構造部材を部分構造として分割するとともに複数の部分構造を複数の部分構造群に区分し、該部分構造群毎に設けられて前記振動センサからの情報を収録し演算処理する複数の分割データ収録処理装置と、
前記複数の分割データ収録処理装置の処理結果を集めて比較処理するメインデータ収録処理装置とを備えており、
前記分割データ収録処理装置は、前記接合部に接合した各構造部材の一端部の反対側の他端部が接合する他の接合部に設置した振動センサの検出情報を入力、前記接合部の振動センサを出力として、各部分構造の動特性の入出力関係をシステム同定し、
時刻的に前後の前記部分構造のシステムを比較し、
前記メインデータ収録処理装置は、前記分割データ収録処理装置で得られた複数の前記部分構造のシステム同士を比較するように構成されていることを特徴とする構造ヘルスモニタリングシステム。
【請求項６】
請求項５記載の構造ヘルスモニタリングシステムにおいて、
前記構造物が多層構造の建物であり、
各階層の構造部材の接合部にそれぞれ振動センサが設置され、
一の階層と該一の階層の上下の上階層と下階層の３つの階層の前記複数の部分構造が一つの前記部分構造群として区分され、
最下階層及び最上階層を除く全ての階層が前記一の階層として設定されていることを特徴とする構造ヘルスモニタリングシステム。
【発明の詳細な説明】
【技術分野】
【０００１】
本発明は、構造物の損傷検出方法及び構造ヘルスモニタリングシステムに関する。
【背景技術】
【０００２】
建築・土木構造物にセンサを設置し、このセンサからの情報に基づいて構造物（建物）の損傷の度合いを把握し、構造物の損傷検知や健全性評価を行う構造ヘルスモニタリングが注目されている。特に、オフィスビルやマンション等の多層構造の建物においては、地震が発生した際に、その被災状況を早期に且つ精度よく確認、把握、判定することが求められる。
【０００３】
また、振動センサを用いて対象構造物の振動特性の変化から損傷（劣化による損傷を含む）を検出する手法は、変形や歪み等を計測するセンサを利用して損傷を直接的に検出する手法と比較し、センサ設置位置が損傷個所と同一である必要がない点で優れている。このため、対象の構造物が大きく、事前に損傷が発生する場所を予測・特定することが困難な建築・土木構造物に好適な損傷検出手法と言える。
【０００４】
例えば図３に示すように、建物１の階層毎に多数のセンサ２を設置すれば、地震時の建物１の各階（層）の応答、さらに建物１の全体の応答を精度よく把握することができる（例えば、特許文献１参照）。この場合には、多数のセンサ２をそれぞれケーブル（配線）３で一つのデータ収録処理装置４に接続し、各センサ２の検出情報（データ）を一カ所に集約して詳細な分析を行うようにしている。そして、このように建物１の階層毎に設置した多数のセンサ２で地震時の応答や変位などを検出し、建物１の各階の応答や変位などを詳細に分析することで、損傷が発生した場所を特定することができる。
【０００５】
一方、例えば図４に示すように、建物１の限られた階にセンサ２を設置し、地震時に、この限られた階の少ないセンサ２で取得した情報から建物１の各階、建物１の全体の応答を推定し、建物全体系の振動特性の変化から損傷検出を行う手法も提案されている。
【０００６】
また、非特許文献１には、地震観測データとＡＲＸモデルを用い、観測されていない階の応答を近似的に推定する方法が開示されている。この方法では、まず、建物の設計モデル解析モデルのモード形と同定された観測階（センサ設置階）の刺激関数から各階の刺激関数を振動モードごとに決定する。次に、刺激関数と同定された極から、各階の変位応答を出力とするＡＲＸモデルの留数を求め、さらに、各階変位を出力とするＡＲＸモデルの外生入力パラメータを求めるようにしている。これにより、層間変位や層間変形角を求めることができ、地震による被災状況を把握し、建物の耐震性能評価を行うことができる。
【先行技術文献】
【特許文献】
【０００７】
【特許文献１】特開平１１−４４６１５号公報
【非特許文献】
【０００８】
【非特許文献１】池田芳樹、「ＡＲＸモデルに基づく減衰配置と地震観測されていない階の応答の近似的推定」、日本地震工学会大会梗概集、ｐ．１６６−１６７、２００５年
【発明の概要】
【発明が解決しようとする課題】
【０００９】
しかしながら、上記従来の少ないセンサで取得した情報から地震時の構造物の応答（建物の各階、建物全体の応答）を推定し、構造物全体系の振動特性の変化から損傷検出を行う手法においては、構造物内の損傷の有無、程度の判断を行うことは可能であるが、局所的な損傷の位置の推定を行うことは困難である。そして、損傷は構造物の一部分のみに局所的に生じることが多く、構造物全体の振動特性の変化が微小になるケースが多いため、上記従来の少ないセンサで情報取得を行う手法では、局所的な損傷の位置を精度よく推定することができないという問題があった。
なお、モード形状などから損傷位置を推定することも考えられるが、あくまで間接的な推定となり、やはり損傷の位置を精度よく特定することは難しい。
【００１０】
これに対し、建物の階層毎に（構造物に）多数のセンサを設置する手法では、地震時の建物の各階の応答、さらに建物全体の応答を精度よく把握することができるが、一般的なアナログタイプのセンサを利用した場合、センサとデータ収録処理装置間にセンサ個数分の本数のケーブル配線が必要で、その取り回しが非常に複雑になる。
【００１１】
また、データの収録チャンネル数（センサ数）が多数となるため、センサ間で時刻同期をとってデータ収録をすることが難しく、時刻同期をとることを前提とした損傷検出手法の適用が困難になる。すなわち、データの時刻同期が図れないことで、解析の精度の低下、信頼性の低下を招くおそれがある。
【００１２】
さらに、一カ所のデータ収録処理装置に集まるデータ量は膨大で、その一括処理に要する計算負荷が非常に大きくなる。
【００１３】
本発明は、上記事情に鑑み、構造物に多数のセンサを設置し、精度よく且つケーブル本数を少なくするなどして効率的に、構造物の損傷の有無、程度を検出し、損傷の位置を推定することを可能にする構造物の損傷検出方法及び構造ヘルスモニタリングシステムを提供することを目的とする。
【課題を解決するための手段】
【００１４】
上記の目的を達するために、この発明は以下の手段を提供している。
【００１５】
本発明の構造物の損傷検出方法は、構造物の損傷を検出する方法であって、前記構造物の構造フレームを形成する複数の構造部材の接合部に振動センサを設置し、前記接合部と該接合部を構成する複数の構造部材を部分構造として分割し、前記接合部に接合した各構造部材の一端部の反対側の他端部が接合する他の接合部に設置した振動センサの検出情報を入力、前記接合部の振動センサを出力として、各部分構造の動特性の入出力関係をシステム同定し、時刻的に前後の前記部分構造のシステムを比較し、前記部分構造を構成する前記構造部材の損傷の有無及び損傷の程度を検出するようにしたことを特徴とする。
【００１６】
本発明の構造モニタリングシステムは、構造物の構造フレームを形成する複数の構造部材の接合部に設置されるとともに、複数の接合部にそれぞれ設置される複数の振動センサと、前記接合部と該接合部を構成する複数の構造部材を部分構造として分割するとともに複数の部分構造を複数の部分構造群に区分し、該部分構造群毎に設けられて前記振動センサからの情報を収録し演算処理する複数の分割データ収録処理装置と、前記複数の分割データ収録処理装置の処理結果を集めて比較処理するメインデータ収録処理装置とを備えており、前記分割データ収録処理装置は、前記接合部に接合した各構造部材の一端部の反対側の他端部が接合する他の接合部に設置した振動センサの検出情報を入力、前記接合部の振動センサを出力として、各部分構造の動特性の入出力関係をシステム同定し、時刻的に前後の前記部分構造のシステムを比較し、前記メインデータ収録処理装置は、前記分割データ収録処理装置で得られた複数の前記部分構造のシステム同士を比較するように構成されていることを特徴とする。
【００１７】
ここで、本発明において、振動センサの設置位置は、振動センサによる計測値によって接合部の変位、速度、加速度を表すことが可能な範囲であればよく、厳密に複数の構造部材の接合部の位置だけでなく、本発明における「複数の構造部材の接合部に振動センサを設置する」とは、接合部の近傍に振動センサを設置することを含む。
【００１８】
これらの発明においては、構造物の構造フレームを形成する例えば梁や柱等の複数の構造部材の接合部に振動センサを設置し、接合部とこの接合部を構成する複数の構造部材を部分構造として分割し、各構造部材の他端部が接合する他の接合部に設置した振動センサの検出情報を入力、接合部の振動センサを出力として、各部分構造の動特性の入出力関係をシステム同定し、地震の前後など、時刻的に前後の部分構造のシステムを比較することによって、部分構造を構成する構造部材の損傷の有無及び損傷の程度を検出することができる。
【００１９】
そして、複数の接合部に対応した複数の部分構造に対してそれぞれ、システムの比較を行うことで、構造物の構造フレームのどの部分構造で損傷が発生しているのか、その損傷の程度を特定することが可能になる。
【００２０】
また、上記のように複数の接合部に対応した複数の部分構造に対してそれぞれ、システムの比較を行って、各部分構造の損傷の有無、損傷の程度を検出する処理装置（分割データ収録処理装置）と、分割データ収録処理装置で得られた複数の部分構造のシステム同士を比較してどの構造部材に損傷が発生しているのか、その損傷の程度を特定するメインデータ収録処理装置とを分けることができる。
【００２１】
これにより、多数の振動センサを構造物に設けるようにした場合であっても、複数の振動センサからの情報を処理する分割データ収録処理装置を複数設け、これらの分割データ収録処理装置からの出力情報をメインデータ収録処理装置で一つにまとめて処理することができ、構造物に多数のセンサを設置した場合であっても、ケーブル本数を少なくすることが可能になる。
【００２２】
よって、構造物に多数のセンサを設置し、精度よく且つケーブル本数を少なくするなどして効率的に、構造物の損傷の有無、程度を検出し、損傷の位置を推定することが可能になる。
【００２３】
また、本発明の構造物の損傷検出方法においては、複数の前記部分構造のシステム同士を比較することが望ましい。
【００２４】
この発明においては、複数の部分構造のシステム同士を比較することで、より精度良く、どの構造部材に損傷が発生しているのか、その損傷の程度を特定することが可能になる。
【００２５】
さらに、本発明の構造物の損傷検出方法においては、前記振動センサによって、前記接合部の水平の互いに直交するＸ方向とＹ方向の２成分と、上下のＺ方向の１成分と、前記Ｘ方向と前記Ｙ方向と前記Ｚ方向の各軸を中心とする回転３成分の計６成分の振動を検出することがより望ましい。
【００２６】
この発明においては、振動センサによって水平２成分、上下１成分、回転３成分の計６成分の振動（変位、速度、加速度など）を計測することによって、構造部材の劣化に対しても、地震に伴う損傷に対しても、さらに精度よく、どの部分構造、構造部材に損傷が発生しているのか、その損傷の程度を特定することが可能になる。
【００２７】
また、本発明の構造物の損傷検出方法においては、前記構造物の構造フレームの全ての前記接合部に前記振動センサを設置することがさらに望ましい。
【００２８】
この発明においては、構造物の構造フレームの全ての接合部に振動センサを設けることで、さらに確実に、精度よく、どの部分構造、構造部材に損傷が発生しているのか、その損傷の程度を特定することが可能になる。
【００２９】
また、本発明の構造ヘルスモニタリングシステムにおいては、前記構造物が多層構造の建物であり、各階層の構造部材の接合部にそれぞれ振動センサが設置され、一の階層と該一の階層の上下の上階層と下階層の３つの階層の前記複数の部分構造が一つの前記部分構造群として区分され、最下階層及び最上階層を除く全ての階層が前記一の階層として設定されていることが望ましい。
【００３０】
この発明においては、構造物がオフィスビルやマンションなどの多層構造の建物であり、梁と柱の構造部材の接合部に振動センサを設置し、一の階層とこの一の階層の上下の上階層と下階層の３つの階層の複数の部分構造を一つの部分構造群として区分し、これら部分構造群の振動センサからの出力情報を部分構造群毎に設けられた複数の分割データ収録処理装置で処理することができる。
【００３１】
そして、各分割データ収録処理装置で各部分構造群の一の階層の複数の部分構造に対してそれぞれ、システムの比較を行い、構造物の構造フレームのどの部分構造で損傷が発生しているのか、その損傷の程度を特定することが可能になる。
【００３２】
また、複数の部分構造群のそれぞれの一の階層の複数の部分構造のシステムをメインデータ収録処理装置でまとめ、各階層のシステム同士を比較することで、どの構造部材に損傷が発生しているのか、その損傷の程度を確実に特定することができる。
【００３３】
よって、構造物に多数のセンサを設置し、より精度よく且つケーブル本数を少なくするなどしてより効率的に、構造物の損傷の有無、程度を検出し、損傷の位置を推定することが可能になる。
【発明の効果】
【００３４】
本発明の構造物の損傷検出方法及び構造ヘルスモニタリングシステムにおいては、構造物内に局所的に生じた損傷位置の特定が可能になり、従来と比較し局所的な損傷に対する感度を著しく高めることができ、より高精度で、信頼性の高い健全性評価、耐震性評価、劣化度評価を行うことが可能になる。
【００３５】
また、一般的なアナログタイプのセンサを利用した場合には、任意の位置にセンサを設置することができ、データ収録処理装置１台当たりのセンサ台数を少なくし、ケーブル本数も少なくすることができる。これにより、確実に複数のセンサで時刻同期をとったデータ収録を容易に行うことができ、さらに高精度で、信頼性の高い健全性評価、耐震性評価、劣化度評価を行うことが可能になる。
【００３６】
また、任意の位置にセンサを設置することができることから、予め、例えば損傷・劣化しやすい部位、損傷・劣化が疑われる部位等の構造物の任意の部分のみを対象とすることができる。
【００３７】
さらに、データ処理を複数の処理装置で分散的に行えるため、個々の処理装置における計算負荷を低くすることが可能になり、比較的低性能の計算機等を用いてデータ収録処理装置を構成することが可能になる。これにより、高精度で、信頼性の高い健全性評価、耐震性評価、劣化度評価を実現しつつ、構造ヘルスモニタリングシステムの低コスト化を図ることが可能になる。
【図面の簡単な説明】
【００３８】
【図１】本発明の一実施形態に係る構造モニタリングシステムを示す図である。
【図２】本発明の一実施形態に係る構造モニタリングシステムを用いた構造物の損傷検出方法による検出結果を示す図である。
【図３】建物に多数のセンサを設置した従来の構造モニタリングシステムを示す図である。
【図４】建物に少数のセンサを設置した従来の構造モニタリングシステムを示す図である。
【発明を実施するための形態】
【００３９】
以下、図１及び図２を参照し、本発明の一実施形態に係る構造物の損傷検出方法及び構造ヘルスモニタリングシステムについて説明する。
【００４０】
本実施形態の構造物の損傷検出方法は、構造ヘルスモニタリングシステムを用いてオフィスビルやマンション等の多層構造の建物の健全性を確認、把握し、建物の損傷（劣化を含む）の位置を特定ための方法に関するものである。なお、本発明に係る構造物の損傷検出方法及び構造ヘルスモニタリングシステムは、多層構造の建物だけでなく、土木構造物など、あらゆる構造物に適用可能である。
【００４１】
はじめに、図１に示すように、本実施形態の構造ヘルスモニタリングシステムＡは、建物１の構造フレームを形成する複数の梁や柱の構造部材５の接合部６に設置されるとともに、複数の接合部６にそれぞれ設置される複数の振動センサ２と、接合部６とこの接合部６を構成する複数の構造部材５を部分構造７として分割するとともに複数の部分構造７を複数の部分構造群１０に区分し、この部分構造群１０毎に設けられて振動センサ２からの情報を収録演算処理する複数の分割データ収録処理装置８と、複数の分割データ収録処理装置８の処理結果を集めて比較処理するメインデータ収録処理装置９とを備えて構成されている。
【００４２】
多数の振動センサ２が各階（観測層）毎に設けられ、これらセンサ２によって建物１の振動（変位、速度、加速度など）が検知される。また、建物１の各階の多数の振動センサ２が構造フレームの全ての接合部梁柱接合部）６に設置されている。なお、本実施形態において梁柱接合部６に振動センサ２を設置するとは接合部６の近傍の梁と柱の構造部材５に振動センサ２を設置することを示す。
【００４３】
さらに、振動センサ２は、接合部６の水平の互いに直交するＸ方向とＹ方向の２成分と、上下のＺ方向の１成分と、Ｘ方向とＹ方向とＺ方向の各軸を中心とする回転３成分の計６成分の振動（変位、速度、加速度など）を検出する。なお、本発明の構造ヘルスモニタリングシステムは、必ずしも６成分の振動を検出することに限定しなくてもよく、６成分より少ない成分の振動を検出して構成するようにしてもよい。
【００４４】
また、本実施形態の構造ヘルスモニタリングシステムＡでは、建物１の一の階層とこの一の階層の上下の上階層と下階層の３つの階層の複数の部分構造７が一つの部分構造群１０として区分され、最下階層及び最上階層を除く全ての階層が一の階層として設定されている。
【００４５】
すなわち、本実施形態では、１つの分割データ収録処理装置８が３つの階層の部分構造群１０の複数の接合部６に設置された全ての振動センサ２とケーブル３で接続され、この１つの分割データ収録処理装置８で３階層分の振動センサ２からの情報が取得される。さらに、１つの分割データ収録処理装置８が接続して設けられた一の階層の直上の上階層と、直下の下階層もそれぞれ、他の分割データ収録処理装置８が３つの階層の一の階層として接続され、前記１つの分割データ収録処理装置８と他の分割データ収録処理装置８が情報を取得する階層がラップするように複数の分割データ収録処理装置８が設けられている（ひいては部分構造群１０が設定されている）。
【００４６】
さらに、本実施形態の構造ヘルスモニタリングシステムＡでは、複数の分割データ収録処理装置８がケーブル３によって１つのメインデータ収録処理装置９に接続され、複数の分割データ収録処理装置８で処理した出力情報がメインデータ収録処理装置９に集約され、このメインデータ収録処理装置９で収録、演算、解析される。
【００４７】
そして、上記構成からなる本実施形態の構造ヘルスモニタリングシステムＡを用いて建物（構造物）１の損傷を検出する際には、各階に多数配置した振動センサ２で取得した情報（データ）を建物１内に分散配置した分割データ収録処理装置８内で分散処理する。
【００４８】
具体的に、図１に示すように、まず、構造フレームの全接合部６に振動センサ２を設置するとともに複数の分割データ収録処理装置８を設置し、分散配置された各分割データ収録処理装置８で観測階層（一の階層）とその上下階層の３階層部分のセンサ２の信号（情報、データ）を収録し、これら３階層分のセンサ２のデータを、時刻同期をとって計測する。
【００４９】
次に、建物１内の全ての梁柱接合部６に対し、１つの梁柱接合部６、及びこの梁柱接合部６と直接接続された柱・梁などの構造部材を仮想的な部分構造７として構造物全体系から切り離す。そして、各分割データ収録処理装置８によって、部分構造７を入出力を持つシステムと見なし、梁柱接合部６のセンサ２で観測されたデータを出力（構造部材５の一端部を接続した接合部６を出力）、接続された構造部材５の反対側端部（他端部）のセンサ２の応答データを入力として、各部分構造７の入出力関係をシステム同定する。これは柱と梁の各構造部材５が直角に接続された一般的な構造フレームの場合、最大６センサ×６成分（６軸）＝３６入力、１センサ×６成分（６軸）＝６出力の多入力、多出力のシステム同定問題として取り扱うことができる。
【００５０】
次に、各分割データ収録処理装置８によって、各同定したシステムの比較を行い、部分構造７内の損傷を検出する。このとき、大地震後の健全性診断を目的とする場合には、地震前後のデータ（時刻的に前後のデータ）からそれぞれ同定したシステムを比較し、システムに変化が認められる場合に、その地震で損傷が生じたと判断する。
【００５１】
また、経年劣化の診断を目的とする場合には、基準とする時点のデータと対象時点のデータを比較し、すなわち、時刻的に前後のデータを比較し、同定したシステムの変化が認められる場合に、劣化が生じていると判断し、また、劣化の進行度合いを確認する。
【００５２】
ここで、同定したシステムを比較する方法としては、例えば、時間領域でシステムの入出力関係を表すＡＲＸモデルを用いた場合において、システムを構成するＡＲ係数の比較、ＡＲ係数から求めた固有振動数等の動特性の比較、地震前のデータから同定したシステムに地震前後のデータを入力した際の残差の比較などが挙げられる。
【００５３】
そして、本実施形態の建物（構造物）１の損傷検出方法及び構造ヘルスモニタリングシステムＡでは、各分割データ収録処理装置８によって検出した各部分構造７の損傷検出結果を、各分割データ収録処理装置８にケーブル接続したメインデータ収録処理装置９の一カ所に集約し、このメインデータ収録処理装置９で重ね合せることによって、すなわち、各分割データ収録処理装置８で得られた複数の部分構造７のシステム同士を比較することによって、建物内部のどの箇所でどの程度の損傷・劣化が生じたかを特定する。
【００５４】
例えば、図１（「集中処理：損傷検出結果の集約」）に示すように、隣接配置（連続配置）された部分構造（ａ）、部分構造（ｂ）、部分構造（ｃ）の損傷検出結果をメインデータ収録処理装置９で対比し、検出結果がパラメータに変化ありの部分構造（ａ）、部分構造（ｂ）、検出結果がパラメータに変化なしの部分構造（ｃ）の位置関係から、部分構造（ａ）と部分構造（ｂ）の両構造の構成要素である梁部材５に損傷が生じていると特定することができる。
【００５５】
また、図２に示すように、全ての部分構造７の損傷検出結果から損傷の程度に応じてマッピングを行って損傷指標として表し、建物１のどの階層のどの構造部材５に損傷が生じているのかを特定することができる。
【００５６】
よって、検出結果がパラメータに変化ありの全ての部分構造に対し、その周辺の部分構造との関係を上記のように対比することで、確実に損傷が生じている部位を特定することが可能になる。
【００５７】
したがって、本実施形態の構造物の損傷検出方法及び構造モニタリングシステムにおいては、構造物（建物）１の構造フレームを形成する梁や柱等の複数の構造部材５の接合部６に振動センサ２を設置し、接合部６とこの接合部６を構成する複数の構造部材５を部分構造７として分割し、各構造部材５の他端部が接合する他の接合部６に設置した振動センサ２の検出情報を入力、接合部６の振動センサ２を出力として、各部分構造７の動特性の入出力関係をシステム同定し、地震の前後など、時刻的に前後の部分構造７のシステムを比較することによって、部分構造７を構成する構造部材５の損傷の有無及び損傷の程度を検出することができる。
【００５８】
そして、複数の接合部６に対応した複数の部分構造７に対してそれぞれ、システムの比較を行うことで、構造物１の構造フレームのどの部分構造７で損傷が発生しているのか、その損傷の程度を特定することが可能になる。
【００５９】
また、上記のように複数の接合部６に対応した複数の部分構造７に対してそれぞれ、システムの比較を行って、各部分構造７の損傷の有無、損傷の程度を検出する処理装置（分割データ収録処理装置）８と、分割データ収録処理装置８で得られた複数の部分構造７のシステム同士を比較してどの構造部材５に損傷が発生しているのか、その損傷の程度を特定するメインデータ収録処理装置９とを分けることができる。
【００６０】
これにより、多数の振動センサ２を構造物１に設けるようにした場合であっても、複数の振動センサ２からの情報を処理する分割データ収録処理装置８を複数設け、これらの分割データ収録処理装置８からの出力情報をメインデータ収録処理装置９で一つにまとめて処理することができ、構造物１に多数のセンサ２を設置した場合であっても、ケーブル本数を少なくすることが可能になる。
【００６１】
よって、構造物に多数のセンサ２を設置し、精度よく且つケーブル本数を少なくするなどして効率的に、構造物１の損傷の有無、程度を検出し、損傷の位置を推定することが可能になる。
【００６２】
すなわち、本実施形態の構造物の損傷検出方法及び構造ヘルスモニタリングシステムＡにおいては、構造物１内に局所的に生じた損傷位置の特定が可能になり、従来と比較し局所的な損傷に対する感度を著しく高めることができ、より高精度で、信頼性の高い健全性評価、耐震性評価、劣化度評価を行うことが可能になる。
【００６３】
また、一般的なアナログタイプのセンサを利用した場合には、任意の位置にセンサ２を設置することができ、データ収録処理装置１台当たりのセンサ台数を少なくし、ケーブル本数も少なくすることができる。これにより、確実に複数のセンサ２で時刻同期をとったデータ収録を容易に行うことができ、さらに高精度で、信頼性の高い健全性評価、耐震性評価、劣化度評価を行うことが可能になる。
【００６４】
また、任意の位置にセンサ２を設置することができることから、予め、例えば損傷・劣化しやすい部位、損傷・劣化が疑われる部位等の構造物の任意の部分のみを対象とすることができる。
【００６５】
さらに、データ処理を複数の処理装置で分散的に行えるため、個々の処理装置８、９における計算負荷を低くすることが可能になり、比較的低性能の計算機等を用いてデータ収録処理装置８、９を構成することが可能になる。これにより、高精度で、信頼性の高い健全性評価、耐震性評価、劣化度評価を実現しつつ、システムの低コスト化を図ることが可能になる。
【００６６】
また、本実施形態の構造物の損傷検出方法及び構造モニタリングシステムにおいては、複数の部分構造７のシステム同士を比較することで、より精度良く、どの構造部材５に損傷が発生しているのか、その損傷の程度を特定することが可能になる。
【００６７】
さらに、振動センサ２によって水平２成分、上下１成分、回転３成分の計６成分の振動（変位、速度、加速度など）を計測することによって、構造部材５の劣化に対しても、地震に伴う損傷に対しても、さらに精度よく、どの部分構造７、構造部材５に損傷が発生しているのか、その損傷の程度を特定することが可能になる。
【００６８】
また、構造物１の構造フレームの全ての接合部６に振動センサ２を設けることで、さらに確実に、精度よく、どの部分構造７、構造部材５に損傷が発生しているのか、その損傷の程度を特定することが可能になる。
【００６９】
以上、本発明に係る建物の構造物の損傷検出方法及び構造ヘルスモニタリングシステムの一実施形態について説明したが、本発明は上記の実施形態に限定されるものではなく、その趣旨を逸脱しない範囲で適宜変更可能である。
【符号の説明】
【００７０】
１      構造物（建物）
２      振動センサ
３      ケーブル（配線）
４      従来のデータ収録処理装置
５      構造部材（梁、柱）
６      接合部
７      部分構造
８      分割データ収録処理装置
９      メインデータ収録処理装置
１０    部分構造群
Ａ      構造ヘルスモニタリングシステム
【図１】
0006032494.tif 000002
【図３】
0006032494.tif 000003
【図４】
0006032494.tif 000004
【図２】
0006032494.tif 000005